(57)【要約】【課題】部品数を増加させることなく、電気接続部品を埃や水分等から保護してトラッキングの発生を抑制することのできる換気扇を得る。【解決手段】フランジ１４の背面に取り付けられる電気接続部品を覆うようにして、本体フレーム１０の背面側に取り付けられる結線部保護カバー３０を有し、結線部保護カバー３０と本体フレーム１０とが突き合わされる部分に、結線部保護カバー３０と本体フレーム１０のいずれか一方に段差を設け、本体フレーム１０が結線部保護カバー３０に取り付けられた状態において他方の端部が段差に当接するように構成された段差構造と、結線部保護カバー３０及び本体フレーム１０のいずれか一方に溝を設け、本体フレーム１０が結線部保護カバー３０に取り付けられた状態において他方の端部が溝に入り込むように構成されたラビリンス構造と、のいずれかを備えた。【選択図】図１３
2014016089.tif 000002
【特許請求の範囲】
【請求項１】
略円筒状の風洞と、
前記風洞の前面側の吸入口の周縁部に連接されて半径方向に広がるフランジ、及び前記フランジの端縁に連接されて背面側へ突出する立ち上がり部を有する本体フレームと、
前記風洞内で回転する羽根車を有する送風機と、
前記フランジの背面に取り付けられる電気接続部品を覆うようにして、前記本体フレームの背面側に取り付けられる保護カバーとを有し、
前記保護カバーと前記本体フレームとが突き合わされる部分に、
前記保護カバーと前記本体フレームのいずれか一方に段差を設け、前記本体フレームが前記保護カバーに取り付けられた状態において他方の端部が前記段差に当接するように構成された段差構造と、
前記保護カバー及び前記本体フレームのいずれか一方に溝を設け、前記本体フレームが前記保護カバーに取り付けられた状態において他方の端部が前記溝に入り込むように構成されたラビリンス構造と、のいずれかを備えた
ことを特徴とする換気扇。
【請求項２】
前記保護カバーは、爪嵌合により前記本体フレームに対して取り付けられる
ことを特徴とする請求項１記載の換気扇。
【請求項３】
外部電源電線を接続可能であり、第一回動軸と第二回動軸とを介して前記本体フレームの背面に回動可能に支持されて倒伏起立可能な端子台を備え、
前記第一回動軸は、前記立ち上がり部に形成された取付穴に回動可能に支持され、
前記第二回動軸は、前記フランジの背面に形成された受け部と、前記保護カバーに形成された押さえ部とにより、回動可能に狭持される
ことを特徴とする請求項１または請求項２に記載の換気扇。
【請求項４】
前記保護カバーが前記本体フレームに取り付けられた状態において、前記保護カバーの内部に、閉端接続子を含め電気的に接続される電気接続部品が収容される
ことを特徴とする請求項１〜請求項３のいずれか一項に記載の換気扇。
【請求項５】
前記保護カバーが前記本体フレームに取り付けられた状態において、前記保護カバー内に、電源スイッチの一対の端子が収容され、
前記保護カバーは、前記一対の端子の間を隔てるように突出するリブを備えた
ことを特徴とする請求項１〜請求項４のいずれか一項に記載の換気扇。
【発明の詳細な説明】
【技術分野】
【０００１】
本発明は、換気扇に関する。
【背景技術】
【０００２】
室内外を連通するパイプやダクト等に室内側から挿入して装着し、室内の空気を室外へ排気して換気を行う換気扇が知られている。このような換気扇は、パイプやダクト等に挿入される円筒状の風洞と、この風洞内でプロペラ式の羽根車が回転する送風機を備えている。また、円筒状の風洞の室内側開口部の外周には、半径方向に張り出すフランジが連設され、このフランジの背面には、電源入・切スイッチや閉端接続子等の電気接続部品を収納している。そして、これら電気接続部品に使用者が接触しないよう、電気接続部品を覆うための結線部保護カバーが設けられている。
【０００３】
しかしながら、従来の結線部保護カバーは、電源入・切スイッチ導体部やリード線結線部等に使用者が触れないようにすることを目的として設計されているため、埃や水分の浸入等からの保護が不十分な面もあった。このため、トラッキング防止のために延焼防止部品等を追加しており、部品数増加によるコスト悪化や組み立て性の悪化に繋がるという課題があった。
【０００４】
そこで、「電装部を電装ケースと電装カバーで覆い電装ユニットを構成し、本体枠の裏面側に収納」した換気扇が提案されている（例えば、特許文献１参照）。
【先行技術文献】
【特許文献】
【０００５】
【特許文献１】特開２００８−２３２４８８号公報（第７頁、図７）
【発明の概要】
【発明が解決しようとする課題】
【０００６】
上記特許文献１に記載の換気扇では、ケースとカバーにより構成される電装ユニットで電気接続部品を覆うことで、電気接続部品を埃や水分から保護するとされているが、ケースとカバーという２部品の構成になっており、部品数が増加して製造コストが高くなり、また、組み立て性が悪化するという課題があった。
【０００７】
本発明は、上記のような課題を解決するためになされたものであり、部品数を増加させることなく、電気接続部品を埃や水分等から保護してトラッキングの発生を抑制することのできる換気扇を提供するものである。
【課題を解決するための手段】
【０００８】
本発明に係る換気扇は、略円筒状の風洞と、前記風洞の前面側の吸入口の周縁部に連接されて半径方向に広がるフランジ、及び前記フランジの端縁に連接されて背面側へ突出する立ち上がり部を有する本体フレームと、前記風洞内で回転する羽根車を有する送風機と、前記フランジの背面に取り付けられる電気接続部品を覆うようにして、前記本体フレームの背面側に取り付けられる保護カバーとを有し、前記保護カバーと前記本体フレームとが突き合わされる部分に、前記保護カバーと前記本体フレームのいずれか一方に段差を設け、前記本体フレームが前記保護カバーに取り付けられた状態において他方の端部が前記段差に当接するように構成された段差構造と、前記保護カバー及び前記本体フレームのいずれか一方に溝を設け、前記本体フレームが前記保護カバーに取り付けられた状態において他方の端部が前記溝に入り込むように構成されたラビリンス構造と、のいずれかを備えたものである。
【発明の効果】
【０００９】
本発明によれば、フランジの背面側に取り付けられる電気接続部品を保護カバーで覆うので部品数を増加させることがない。また、本体フレームと保護カバーに設けた構造により保護カバーの内部への埃や水分の侵入を抑制し、保護カバー内に収容される電気接続部品でのトラッキングの発生を抑制することのできる換気扇を得ることができる。
【図面の簡単な説明】
【００１０】
【図１】実施の形態に係る換気扇をパイプに取り付けた状態を示す概略断面図である。
【図２】実施の形態に係る換気扇の平面図、背面図、及び右側面図である。
【図３】実施の形態に係る換気扇の結線部保護カバー及び端子台を取り外した状態を示す背面図である。
【図４】実施の形態に係る換気扇の背面側斜視図である。
【図５】実施の形態に係る取付バネの側面図である。
【図６】実施の形態に係る取付バネの斜視図である。
【図７】実施の形態に係る換気扇の取付バネ近傍の概略断面図である。
【図８】実施の形態に係る換気扇の背面側の取付バネの取付先近傍の要部拡大図である。
【図９】実施の形態に係る結線部保護カバーの外面を示す図である。
【図１０】実施の形態に係る結線部保護カバーの内面を示す図である。
【図１１】実施の形態に係る結線部保護カバーの外面の斜視図である。
【図１２】実施の形態に係る換気扇の結線部保護カバーの取付構造を説明する図である。
【図１３】実施の形態に係る換気扇の結線部保護カバーの取付構造を説明する図である。
【図１４】実施の形態に係る換気扇の結線部保護カバーの取付構造を説明する図である。
【図１５】実施の形態に係る換気扇の電源スイッチ端子部近傍の結線部保護カバーの透視図である。
【図１６】実施の形態に係る換気扇の電源スイッチ端子部近傍の概略断面図である。
【図１７】実施の形態に係る換気扇の端子台近傍の背面斜視図である。
【図１８】実施の形態に係る換気扇の端子台の斜視図である。
【図１９】実施の形態に係る換気扇の端子台の取付構造を説明する概略断面図である。
【図２０】実施の形態に係る換気扇の背面図であり、電源コードの張力止めを説明する図である。
【図２１】実施の形態に係る換気扇の電源コードの張力止め構造を説明する概略断面図である。
【発明を実施するための形態】
【００１１】
以下、本発明に係る換気扇の実施の形態を、図面を参照して説明する。なお、以下に示す図面の形態によって本発明が限定されるものではない。
【００１２】
実施の形態．
図１は、実施の形態に係る換気扇をパイプに取り付けた状態を示す概略断面図である。図２は、実施の形態に係る換気扇の平面図（図２（ａ））、背面図（図２（ｂ））、及び右側面図（図２（ｃ））であり、化粧グリルを取り外した状態を示している。図３は、実施の形態に係る換気扇の結線部保護カバー及び端子台を取り外した状態を示す背面図である。図４は、実施の形態に係る換気扇の背面側斜視図である。
なお、図１〜図４を含め、以下に示す各図において同一の構成には同一の符号を付している。また、図１〜図４を含め、以下の図面では各構成部材の大きさの関係が実際のものとは異なる場合がある。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。
【００１３】
［換気扇の全体構成］
図１〜図４に示すように、本実施の形態に係る換気扇１は、室内と室外とを連通させるパイプ１００やダクト内に、室内側から挿入されて装着されるものである。換気扇１は、本体フレーム１０、及びこの本体フレーム１０に組み付けられた送風機２０を有する本体２と、化粧グリル３とを備える。なお、以降の説明においては、図１の紙面左側を「前面側」、紙面右側を「背面側」として説明する。
【００１４】
本体フレーム１０は、合成樹脂等で構成され、パイプ１００やダクトに挿入される略円筒状の風洞１１を有する。風洞１１の前部には、風洞１１へ空気を吸込む吸込口１２が開口しており、吸込口１２の周縁部１３はベルマウス形状に構成されている。この周縁部１３には、前面構造が一体に形成されている。前面構造は、周縁部１３から半径方向外側に向かって張り出す略正方形（丸形でもよい）のフランジ１４と、フランジ１４の端縁から背面側に向かって起立する立ち上がり部１５とを有する。立ち上がり部１５の端面は、室内に取り付けられたときに、部屋の壁面に当接する。フランジ１４と立ち上がり部１５とにより、本体フレーム１０の背面が凹状に形成されている。
【００１５】
送風機２０は、プロペラ式の羽根車２１と、回転軸２３を有し羽根車２１を回転させる電動機２２とを備える。送風機２０は、本体フレーム１０の風洞１１の背面側に設けられたモーター取付構造６０に取り付けられている。
【００１６】
モーター取付構造６０は、風洞１１の背面側に周方向に間隔をおいて設けられ、風洞１１の中心線方向に沿って背後に延出する四本の脚部６１と、各脚部６１の端部から半径方向内側に向かって延びるように連接された橋絡部６２と、橋絡部６２により風洞１１の中心に支持されたモーターカバー６３とを備える。四本の脚部６１は、いずれも風洞１１の外周よりも径方向内側に位置している。四本の脚部６１のうちの一本（脚部６１Ａと区別して称する）に連なる橋絡部６２（橋絡部６２Ａと区別して称する）には、径方向外側に向かって延びる取付バネ６４が装着されている。取付バネ６４は、詳細は後述するが、半径方向への拡開弾力により本体２をパイプ１００やダクト内に保持するために反りが設けられている。
【００１７】
電動機２２の背面側の外殻には、径方向外側に向かって張り出すフランジ部２２１が設けられており、回転軸２３がモーターカバー６３の先端から風洞１１の中心線上に前方に向かって突き出るようにして、フランジ部２２１がモーター取付構造６０に対してネジ締めされている。また、風洞１１の中心線上に延出する回転軸２３に、羽根車２１が風洞１１に内包されるようにして装着されている。電動機２２が動作して回転軸２３が回転することにより、羽根車２１は風洞１１内で回転する。
【００１８】
換気扇１の電源スイッチ１６は、図３に示すように、使用者により操作される操作部１６１と、一対の電源スイッチ端子部１６２とを備える。操作部１６１は、使用者がＯＮ／ＯＦＦ操作を行うことができるように本体フレーム１０から露出するように取り付けられている。
【００１９】
フランジ１４の背面の凹状の部分には、図３に示すように、電源スイッチ１６の電源スイッチ端子部１６２が収納されている。また、フランジ１４には、内部に収容空間を有する枠状の閉端接続子収納リブ１４４ａ、１４４ｂが突設されており、この閉端接続子収納リブ１４４ａ、１４４ｂ内には、それぞれ閉端接続子１７が収納されている。これら電源スイッチ端子部１６２や閉端接続子１７等の電気接続部品への接触を防止するため、図２に示すように、電源スイッチ１６の電源スイッチ端子部１６２や閉端接続子１７を覆う結線部保護カバー３０がフランジ１４の背面に取り付けられる。
【００２０】
また、図２に示すように、フランジ１４の背面の一隅には、電動機２２に接続される内部配線と外部電源電線とを接続可能な回転式の端子台４０が設けられている。本実施の形態の換気扇１は、この端子台４０に外部電源電線を接続するほか、電源プラグ５１を備えた内部配線を介して電動機２２に接続される電源コード５０（図２０、図２１参照）によっても電源接続が可能な構成であり、換気扇１の据え付け環境に応じて電源接続方式を選択可能である。
【００２１】
化粧グリル３は、本体フレーム１０の前面構造であるフランジ１４及び立ち上がり部１５を前面側から被覆する。化粧グリル３は、本体２に対して爪嵌合等により着脱可能に取り付けられ、取り外すことで化粧グリル３を容易に清掃することができる。意匠や通風特性の異なる複数の化粧グリル３を取り替え可能としてもよく、このようにすることで一種類の本体２に対して、換気扇１を設置する環境に適した意匠や通風特性の化粧グリル３を取り付けることができる。
【００２２】
［取付バネ取付構造］
図５は、実施の形態に係る取付バネの側面図である。図６は、実施の形態に係る取付バネの斜視図である。本実施の形態の取付バネ６４は、例えばバネ用ステンレス鋼帯などからなる板バネ部材である。取付バネ６４は、図５、図６に示すように、三角形状の切り起こし片からなる爪６４１が形成された取付部６４２と、取付部６４２の端部を略９０°曲げて形成された係止部６４３と、係止部６４３から約３０°曲げて形成された傾斜部６４４と、傾斜部６４４の先端から約２０°曲げて形成された先端部６４５とで構成される。傾斜部６４４と先端部６４５との間の屈曲部分は、他の屈曲部分とは逆方向となっている。図５の例では、取付部６４２の長さは６ｍｍ、係止部６４３の長さは５．５ｍｍ、傾斜部６４４の長さは２０ｍｍ、先端部６４５の長さは５ｍｍである。なお、図５で例示した取付バネ６４の各部の数値は一例であり、本発明を限定するものではない。
【００２３】
図７は、実施の形態に係る換気扇の取付バネ近傍の概略断面図であり、パイプ１００内に設置された状態を示している。図８は、実施の形態に係る換気扇の背面側の取付バネの取付先近傍の要部拡大図であり、取付バネを取り外した状態を示している。
橋絡部６２Ａには、スリット状の取付バネ取付穴６５が形成されている。この取付バネ取付穴６５に、取付バネ６４の爪６４１及び取付部６４２を嵌め込むことで、橋絡部６２Ａに取付バネ６４が取り付けられる。爪６４１は、略三角形状の切り起こし片であり、取付バネ６４が引き抜かれようとした際には、爪６４１が取付バネ取付穴６５の壁面に食い込むことで、取付バネ６４が容易には取付バネ取付穴６５から外れない構成となっている。爪６４１が取付バネ取付穴６５の側面に引っかかるので、換気扇１をパイプ１００やダクトに挿入する際、あるいは換気扇１をパイプ１００やダクトから取り外す際においても、取付バネ６４が取付バネ取付穴６５から外れにくくなっている。
【００２４】
取付バネ６４が取付バネ取付穴６５に取り付けられた状態においては、取付バネ取付穴６５の内壁に取付部６４２及び爪６４１が接し、また、係止部６４３の一部が橋絡部６２Ａの壁の一部（取付バネ当接部６６と称する）と当接する。取付バネ取付穴６５及び取付バネ当接部６６が、取付バネ６４を橋絡部６２Ａに取り付ける取付バネ取付部６７として機能する。
【００２５】
図７に示すように、取付バネ６４の先端部６４５は、換気扇１が例えば天井に施工（換気流の流れが鉛直方向に向くようにして施工）される場合に、換気扇１がパイプ１００やダクトから落下しないようにパイプ１００やダクトの内壁に引っかかる形状に構成されている。より詳しくは、取付バネ６４の傾斜部６４４から先端部６４５にかけての屈曲部分は、先端部６４５が風洞１１から離れる方向に屈曲しており、先端部６４５とパイプ１００とが交差する角度が比較的大きくなることで、先端部６４５がパイプ１００やダクトの内壁に引っかかりやすくなっている。また、取付バネ６４の拡開弾力により、先端部６４５がパイプ１００の内壁に押し付けられる。このため、木ネジ等にて換気扇１を壁等に固定するまでの間、取付バネ６４によって換気扇１をパイプ１００やダクトの内壁に仮固定することができる。また、換気扇１をパイプ１００やダクトから取り外す際には換気扇１を周方向に回転させながら引き抜くことで、換気扇１を容易に取り外すことができる。
【００２６】
ここで、換気扇１がパイプ１００やダクトに挿入された状態においては、取付バネ取付穴６５内に固定された取付部６４２に対し、先端部６４５が近づくようにして、取付バネ６４が半径方向内側に向かって狭窄化するように弾性変形する。
そして、本実施の形態の橋絡部６２Ａは、図７、図８に示すように、換気扇１がパイプ１００やダクト内に取り付けられて取付バネ６４が上述のように変形した場合であっても、取付バネ取付部６７以外の部分では取付バネ６４と接触することがないような形状を有している。より具体的には、橋絡部６２Ａにおいて脚部６１Ａに連なる部分の一部を切り欠くことによって空間部６２１を形成しており、取付バネ６４が狭窄変形すると取付バネ６４の一部がこの空間部６２１内に位置し、取付バネ６４は取付バネ取付部６７以外の橋絡部６２Ａに接触しない。
【００２７】
図７に示すように、換気扇１がパイプ１００やダクト内に取り付けられて取付バネ６４が上述のように変形した状態において、取付バネ６４は、取付バネ取付穴６５及び取付バネ当接部６６からなる取付バネ取付部６７のほかに、Ｃ１で面取りされた端面形状を有する脚部６１Ａの端部６１１に当接する。すなわち、取付バネ６４は、取付バネ取付部６７（取付バネ取付穴６５及び取付バネ当接部６６）と脚部６１Ａの端部６１１の二箇所において、他の部材と接触する構造である。このようにすることで、取付バネ６４のバネ荷重は、橋絡部６２Ａの取付バネ取付部６７（取付バネ取付穴６５及び取付バネ当接部６６）、並びに脚部６１Ａの端部６１１に掛かり、風洞１１へは取付バネ６４の荷重がかからない。このため、取付バネ６４の変形によって風洞１１の内径が縮小変形することがなく、風洞１１の縮小変形による風洞１１と羽根車２１との接触を抑制することができる。また、風洞１１に取付バネ６４の荷重が集中しないので、風洞１１を例えば安価なＰＰ材（ポリプロピレン材）や再生材等の合成樹脂で構成することが可能であり、本体フレーム１０のコスト削減や再生材を使用することによる環境負荷軽減という効果を得ることができる。このように、風洞１１を構成する材料の自由度を高めることができる。また、風洞１１に取付バネ６４の荷重が集中しないので、風洞１１の厚みを薄くすることができ、風洞１１を構成する合成樹脂材料等を減量することができる。
【００２８】
なお、橋絡部６２Ａ及び脚部６１Ａは、換気扇１をパイプ１００やダクトに挿入した際の取付バネ６４のバネ荷重に十分耐えうる強度を有するように構成するのがよい。また、本実施の形態では、四本の橋絡部６１のうちの一本にのみ取付バネ６４を設ける例を示したが、取付バネ６４の数はこれに限定されず、複数の取付バネ６４を同様にして取り付けてもよい。
【００２９】
［結線部保護カバー］
図９は、実施の形態に係る結線部保護カバーの外面を示す図である。図１０は、実施の形態に係る結線部保護カバーの内面を示す図である。図１１は、実施の形態に係る結線部保護カバーの外面の斜視図である。
結線部保護カバー３０は、フランジ１４の背面に取り付けられる電源スイッチ１６や閉端接続子１７等の電気接続部品を、フランジ１４の背面側から覆う部材である。
【００３０】
図１２は、実施の形態に係る換気扇の結線部保護カバーの取付構造を説明する図であり、図１２（ａ）は換気扇１の平面図、図１２（ｂ）は、図１２（ａ）のＡ部分の部分拡大図、図１２（ｃ）は換気扇１の結線部保護カバー３０を取り外した状態の背面図である。なお、図１２（ｃ）は、図３と同じ図であるが、説明の都合上、結線部保護カバー３０の取付構造に関連する構成を中心に符号を付している。
図９〜図１２に示すように、結線部保護カバー３０の外周部であって、本体フレーム１０に取り付けられたときに立ち上がり部１５の外周部に位置する部分の三箇所には、外方に突出する取付爪３０２が設けられている。また、図１２に示すように、立ち上がり部１５には、取付爪３０２が挿入されるカバー取付穴１５２が、取付爪３０２と同じく三箇所に形成されている。結線部保護カバー３０の取付爪３０２を、立ち上がり部１５のカバー取付穴１５２にそれぞれ挿入すると、取付爪３０２がカバー取付穴１５２の縁に引っかかり、結線部保護カバー３０を本体フレーム１０に取り付けることができる。
【００３１】
図１３は、実施の形態に係る換気扇の結線部保護カバーの取付構造を説明する図であり、図２（ｂ）のＡ線における概略断面図を示している。図１４は、実施の形態に係る換気扇の結線部保護カバーの取付構造を説明する図であり、図２（ｂ）のＢ線における概略断面図を示している。
図１２、図１３に示すように、フランジ１４の背面には、背面側に向かって突出し先端が鉤形状に形成されたカバー取付爪１４２が設けられている。また、図９〜図１１、図１３に示すように、結線部保護カバー３０には、カバー取付爪１４２が挿入される開口部３０３ａ、及びカバー取付爪１４２の鉤状の先端部を係止可能な係止部３０３ｂを有する爪取付部３０３が設けられている。結線部保護カバー３０をフランジ１４の背面に被せ、フランジ１４のカバー取付爪１４２を爪取付部３０３の開口部３０３ａ内に挿入し、カバー取付爪１４２を爪取付部３０３の係止部３０３ｂに引っかけると、結線部保護カバー３０をフランジ１４に取り付けることができる。カバー取付爪１４２と係止部３０３ｂとの係止構造により、結線部保護カバー３０のフランジ１４からの離脱が規制される。
【００３２】
このように本実施の形態では、図１２に示した取付爪３０２とカバー取付穴１５２による取付構造と、図１３に示したカバー取付爪１４２と爪取付部３０３による取付構造によって、結線部保護カバー３０がフランジ１４に対して取り付けられる。結線部保護カバー３０側に爪を設ける構造と、フランジ１４に爪を設ける構造とを併用しているので、一方にのみ爪を設ける構造と比べて、取付強度を向上させることができる。
【００３３】
次に、結線部保護カバー３０内への埃や水分の侵入を抑制するための構成について説明する。
図１０、図１３、図１４に示すように、結線部保護カバー３０の内面側の外周部の一部には、この外周部に沿って断面略コ字状の溝３０１が設けられている。また、図１３、図１４に示すように、フランジ１４の背面には、溝３０１に挿入可能な嵌合リブ１４１が形成されている。結線部保護カバー３０が本体フレーム１０に取り付けられると、嵌合リブ１４１が溝３０１内に嵌合して溝３０１の内面に接触し、嵌合リブ１４１と溝３０１とによってラビリンスシール構造が形成される。このように、結線部保護カバー３０とフランジ１４とが突き合わされる部分にラビリンスシール構造を設けることにより、結線部保護カバー３０の外部から内部への埃や水分の侵入を阻むことができる。なお、フランジ１４の背面に溝を設け、この溝に嵌合するリブを結線部保護カバー３０に設けることにより、ラビリンスシール構造を構成してもよい。
【００３４】
また、図１３、図１４に示すように、本体フレーム１０の一部を構成する立ち上がり部１５の先端部近傍は、フランジ１４に近い側に対して遠い側の方が径方向外側に広がるように階段状に形成された段差部１５１が設けられている。結線部保護カバー３０が本体フレーム１０に取り付けられると、結線部保護カバー３０の端部が段差部１５１の角部分に嵌合し、結線部保護カバー３０の端部と段差部１５１とが接触する。このように、結線部保護カバー３０と立ち上がり部１５とが突き合わされる部分に段差構造を設けることにより、結線部保護カバー３０の外部から内部への埃や水分の侵入を阻むことができる。なお、結線部保護カバー３０の外周端面に段差部を設け、この段差部に立ち上がり部１５の端面を当接させる段差構造を設けてもよい。
【００３５】
このように、結線部保護カバー３０と立ち上がり部１５の段差部１５１とによる嵌合構造を設け、この嵌合構造とは別の部位においては、結線部保護カバー３０の溝３０１とフランジ１４の嵌合リブ１４１とによるラビリンス構造を設けることで、電源スイッチ１６や閉端接続子１７等の電気接続部品が収納される結線部保護カバー３０内に、埃や水分が侵入するのを抑制することができる。このため、結線部保護カバー３０内に埃や水分が侵入することによるトラッキングを抑制し、換気扇１の耐久性を向上させることができる。また、本体フレーム１０の一部を構成するフランジ１４及び立ち上がり部１５と、結線部保護カバー３０とによって上記のような構造が実現されるので、例えば延焼防止部品などのほかの部品を設ける必要もない。このため、部品数を削減することができ、製造コストの低減や組み立て性の改善が可能となる。
【００３６】
図１５は、実施の形態に係る換気扇の電源スイッチ端子部近傍の結線部保護カバーの透視図である。図１６は、実施の形態に係る換気扇の電源スイッチ端子部近傍の概略断面図である。図１５、図１６に示すように、二つの電源スイッチ端子部１６２を隔てる位置には、電源スイッチ端子間リブ３０４が設けられている。電源スイッチ端子間リブ３０４は、本実施の形態では、結線部保護カバー３０の内面側、すなわちフランジ１４と対面する側に設けられ、フランジ１４側に向かって突出する略平板形状の部材である。図１６に示すように、電源スイッチ端子間リブ３０４は、その先端がフランジ１４の表面と当接あるいは近接しており、電源スイッチ端子間リブ３０４の先端とフランジ１４の表面との間には埃等の異物が流通しにくくなっている。
【００３７】
このように、電源スイッチ端子間リブ３０４によって一対の電源スイッチ端子部１６２の間を隔てることで、埃等が一対の電源スイッチ端子部１６２の間に介在することによる通電を抑制することができる。このため、上述した結線部保護カバー３０と立ち上がり部１５の段差部１５１とによる嵌合構造や、結線部保護カバー３０の溝３０１とフランジ１４の嵌合リブ１４１とによるラビリンス構造に加えて、さらにトラッキングを抑制することができる。また、本実施の形態では一対の電源スイッチ端子部１６２を隔てる部材（電源スイッチ端子間リブ３０４）を、結線部保護カバー３０によって実現しているので、他の部材を設ける必要がなく、部品数を削減することができ、製造コストの低減や組み立て性の改善が可能となる。
【００３８】
［端子台］
図１７は、実施の形態に係る換気扇の端子台近傍の背面斜視図である。図１７（ａ）は端子台４０の倒伏状態を示し、図１７（ｂ）は端子台４０の起立状態を示し、図１７（ｃ）は図１７（ａ）から端子台４０及び化粧グリル３を取り外した状態を示している。図１８は、実施の形態に係る換気扇の端子台の斜視図である。端子台４０は、難燃性で電気絶縁性を有する合成樹脂で構成されていて、外部電源電線を接続するための接続端子を備えている。端子台４０は、端子台４０の側方に突出する一対の第一回動軸４１ａ、第二回動軸４１ｂを介して本体フレーム１０に回動可能に軸支されている。この端子台４０は、フランジ１４の背面に対して垂直面内で０度から９０度程度の範囲で倒伏、起立可能である。
【００３９】
端子台４０の取付構造について、図１７〜図１９を参照して説明する。図１９は、実施の形態に係る換気扇の端子台の取付構造を説明する概略断面図である。なお、図１９は、図１７（ａ）のＣ線における断面を示している。
【００４０】
図１７（ｃ）に示すように、本体フレーム１０の立ち上がり部１５には、端子台取付穴１５３が開口している。端子台４０の一方の第一回動軸４１ａは、この端子台取付穴１５３に回動可能に挿入される。
【００４１】
図１７（ｃ）、図１９に示すように、フランジ１４の背面側には、第二回動軸４１ｂの外形の一部に沿って湾曲した断面略円弧状の表面形状を有する受け部１４３が設けられている。また、結線部保護カバー３０の内面側には、第二回動軸４１ｂの外形の一部に沿って湾曲した断面略円弧状の表面形状を有する回動軸押さえ部３０５が設けられている。第二回動軸４１ｂは、受け部１４３と回動軸押さえ部３０５とによって回動可能に狭持される。
第一回動軸４１ａ、第二回動軸４１ｂはともに、その外周を全周にわたって支持されるので、端子台４０が取り付けられたときの安定性がよい。
【００４２】
端子台４０を本体フレーム１０に取り付ける際には、結線部保護カバー３０が取り付けられていない状態において、まず、端子台４０の一方の第一回動軸４１ａを立ち上がり部１５の端子台取付穴１５３に内側から挿入し、他方の第二回動軸４１ｂをフランジ１４の受け部１４３の上に載置する。この状態において、結線部保護カバー３０を本体フレーム１０に取り付ける。このようにすると、フランジ１４の受け部１４３と結線部保護カバー３０の回動軸押さえ部３０５との間に、第二回動軸４１ｂが挟み込まれる。端子台４０は、端子台４０の側壁から外方に向かって突出する一対の第一回動軸４１ａ、第二回動軸４１ｂにより、本体フレーム１０に対して両持支持される。本実施の形態の端子台４０の取付構造によれば、第一回動軸４１ａ、第二回動軸４１ｂを軸受け（端子台取付穴１５３、並びに受け部１４３及び回動軸押さえ部３０５）に取り付けるに際し、例えば端子台４０等の部材を弾性変形させるといったことも不要であり、壁、天井などの高所で狭隘な場所での取付作業も行いやすい。
【００４３】
このようにして本体フレーム１０に取り付けた端子台４０の端子台に外部電源電線を接続する際には、作業者は、端子台４０を起立状態にして作業を行うことができる。外部電源電線を接続し終わると、作業者は、端子台４０を回動させて倒伏状態にする。倒伏状態の端子台４０は、本体フレーム１０の立ち上がり部１５の高さの範囲内に収まる。
【００４４】
［電源コードの張力止め］
本実施の形態の換気扇１は、上述のように、端子台４０に接続される外部電源電線から電力供給を受けるほか、電源コード５０によっても電源接続が可能な構成である。以下、電源コード５０に関連する構成について説明する。
図２０は、実施の形態に係る換気扇の背面図であり、電源コードの張力止めを説明する図である。図２１は、実施の形態に係る換気扇の電源コードの張力止め構造を説明する概略断面図である。
【００４５】
本実施の形態１の換気扇１は、一端に電源プラグ５１を有する電源コード５０を備えている。電源コード５０の他端は電動機２２に電気的に接続される。
【００４６】
フランジ１４の背面側には、二つの閉端接続子１７のそれぞれを収納する空間を内部に形成する枠状の二つの閉端接続子収納リブ１４４ａ、１４４ｂが突設されている。また、フランジ１４の背面には、一方の閉端接続子収納リブ１４４ａの外周のうち略水平に延びる部分と高さ方向（上下方向）に所定の隙間をおいて、電源コード狭持リブ１４５が突設されている。図１９、図２０に示すように、閉端接続子収納リブ１４４ａの外周の一部と電源コード狭持リブ１４５との間には、電源コード５０がその幅の広い面を略鉛直方向に向けるようにして通される。閉端接続子収納リブ１４４ａの外周の一部と電源コード狭持リブ１４５からなる一対のリブにより、電源コード５０の上下方向の移動が規制される。閉端接続子収納リブ１４４ａの外周のうち略水平に延びる部分と電源コード狭持リブ１４５との間の隙間距離は、電源コード５０の幅の狭い方の長さと略同じであり、例えば２．２ｍｍ程度である。
【００４７】
また、図２１に示すように、結線部保護カバー３０の内面側には、電源コード張力止めリブ３０６が、フランジ１４側に向かって突設されている。電源コード張力止めリブ３０６の突出する長さは、結線部保護カバー３０が本体フレーム１０に取り付けられた状態において、電源コード張力止めリブ３０６の先端とフランジ１４の背面との間に所定の隙間が形成される程度の長さである。電源コード張力止めリブ３０６の先端とフランジ１４の背面との間の隙間は、電源コード５０の幅広の方の長さと略同じであり、電源コード張力止めリブ３０６の先端とフランジ１４の背面との間に電源コード５０が挟み込まれる。このようにすることで、電源コード５０の水平方向の移動が規制される。なお、本実施の形態では結線部保護カバー３０の内面に電源コード張力止めリブ３０６を設けた例を示したが、フランジ１４の背面側にリブを設け、このリブと結線部保護カバー３０の内面との間に電源コード５０を狭持するようにしてもよい。
【００４８】
このように、電源コード５０は、閉端接続子収納リブ１４４ａの外周の一部と電源コード狭持リブ１４５との間に狭持されて上下方向の移動が規制され、電源コード張力止めリブ３０６の先端とフランジ１４の背面との間に狭持されて水平方向の移動が規制されることにより、フランジ１４の背面に対して張力止めされる。張力止め構造を設けることにより、電源コード５０のガタ付きやズレの発生を抑制することができる。また、本実施の形態によれば、フランジ１４と結線部保護カバー３０にそれぞれ設けた構造物により、電源コード５０の張力止め構造を実現している。このため、コードクリップ等の張力止め部品を別途設けることなく、電源コード５０を張力止めすることができるので、部品数を削減して製造コストを低下させることが可能となる。また、爪嵌合によりネジ等の部品を用いることなく取り付け可能な結線部保護カバー３０により、電源コード５０の張力止めが行えるので、コードクリップを設ける場合と比べて作業性を向上させることができる。
【００４９】
また、電動機２２への電源接続方式として端子台４０を用いる場合と電源コード５０を用いる場合の双方において使用される部品であるフランジ１４と結線部保護カバー３０の構造により、端子台４０の取付構造と電源コード５０の張力止め構造を実現している。このため、いずれの電源接続方式を用いる場合であっても、本体フレーム１０と結線部保護カバー３０を共通化して換気扇１を製造でき、製造コストや管理コストを低減できる。
【００５０】
なお、本実施の形態では、端子台４０への外部電源電線の接続、及び電源コード５０を用いた電源接続のいずれにも共通に用いられる本体フレーム１０と結線部保護カバー３０とを有する換気扇１を説明した。しかし、いずれか一方のみを可能とする構成としてもよい。
【符号の説明】
【００５１】
１  換気扇、２  本体、３  化粧グリル、１０  本体フレーム、１１  風洞、１２  吸込口、１３  周縁部、１４  フランジ、１４１  嵌合リブ、１４２  カバー取付爪、１４３  受け部、１４４ａ、１４４ｂ  閉端接続子収納リブ、１４５  電源コード狭持リブ、１５  立ち上がり部、１５１  段差部、１５２  カバー取付穴、１５３  端子台取付穴、１６  電源スイッチ、１６１  操作部、１６２  電源スイッチ端子部、１７  閉端接続子、２０  送風機、２１  羽根車、２２  電動機、２２１  フランジ部、２３  回転軸、３０  結線部保護カバー、３０１  溝、３０２  取付爪、３０３  爪取付部、３０３ａ  開口部、３０３ｂ  係止部、３０４  電源スイッチ端子間リブ、３０５  回動軸押さえ部、３０６  電源コード張力止めリブ、４０  端子台、４１ａ  第一回動軸、４１ｂ  第二回動軸、５０  電源コード、５１  電源プラグ、６０  モーター取付構造、６１  脚部、６１Ａ  脚部、６１１  端部、６２  橋絡部、６２Ａ  橋絡部、６３  モーターカバー、６４  取付バネ、６４１  爪、６４２  取付部、６４３  係止部、６４４  傾斜部、６４５  先端部、６５  取付バネ取付穴、６６  取付バネ当接部、６７  取付バネ取付部、１００  パイプ。
【図１】
2014016089.tif 000003
【図２】
2014016089.tif 000004
【図３】
2014016089.tif 000005
【図４】
2014016089.tif 000006
【図５】
2014016089.tif 000007
【図６】
2014016089.tif 000008
【図７】
2014016089.tif 000009
【図８】
2014016089.tif 000010
【図９】
2014016089.tif 000011
【図１０】
2014016089.tif 000012
【図１１】
2014016089.tif 000013
【図１２】
2014016089.tif 000014
【図１３】
2014016089.tif 000015
【図１４】
2014016089.tif 000016
【図１６】
2014016089.tif 000017
【図１７】
2014016089.tif 000018
【図１８】
2014016089.tif 000019
【図１９】
2014016089.tif 000020
【図２０】
2014016089.tif 000021
【図２１】
2014016089.tif 000022
【図１５】
2014016089.tif 000023